【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
物体側から像側に順に、
正屈折力の第１レンズ群と、負屈折力の第２レンズ群と、正屈折力の第３レンズ群と、第４レンズ群と、を有し、
広角端に対して望遠端にて、
前記第１レンズ群と前記第２レンズ群との間の間隔は広がり、前記第２レンズ群と前記第３レンズ群との間の間隔は狭まり、
広角端から望遠端への変倍に際し、
前記第１レンズ群は静止し、且つ、前記第３レンズ群と前記第４レンズ群との間の間隔は変化し、以下の条件式（１）を満たすことを特徴とするズームレンズ。
１．１＜｜ｆ2｜／ｆ3＜１．８      ・・・（１）
但し、
ｆ2は前記第２レンズ群の焦点距離、ｆ3は前記第３レンズ群の焦点距離、
である。
【請求項２】
以下の条件式（３）を満たすことを特徴とする請求項１に記載のズームレンズ。
０．８＜ΔＧ2／ｆ3＜２．８          ・・・（３）
但し、
ΔＧ2は広角端から望遠端への変倍の際の前記第２レンズ群の最大移動量の絶対値、
ｆ3は前記第３レンズ群の焦点距離、
である。
【請求項３】
以下の条件式（２）を満たすことを特徴とする請求項１または２に記載のズームレンズ。
−０．５＜ΔＧ1／ΔＧ2＜０．５    ・・・（２）
但し、
ΔＧ1は前記第１レンズ群の広角端と望遠端での位置の差であり、
広角端に対して望遠端にて物体側に位置する場合は正符号、像側に位置する場合は負符号とし、
ΔＧ2は広角端から望遠端への変倍の際の前記第２レンズ群の最大移動量の絶対値、
である。
【請求項４】
物体側から像側に順に、
前記正屈折力の第１レンズ群と、前記負屈折力の第２レンズ群と、前記正屈折力の第３レンズ群と、負屈折力の前記第４レンズ群と、を有し、
前記第２レンズ群は、前記第２レンズ群中で最も物体側に配置されたレンズである正レンズを有することを特徴とする請求項１から３の何れか１項に記載のズームレンズ。
【請求項５】
前記第４レンズ群は負屈折力を有することを特徴とする請求項１から３の何れか１項に記載するズームレンズ。
【請求項６】
物体側から像側に順に、
前記正屈折力の第１レンズ群と、前記負屈折力の第２レンズ群と、前記正屈折力の第３レンズ群と、負屈折力の前記第４レンズ群と、負屈折力の第５レンズ群と、正屈折力の第６レンズ群と、を有し、
広角端から望遠端への変倍に際し、
前記第４レンズ群と前記第５レンズ群との間の間隔は変化し、前記第５レンズ群と前記第６レンズ群との間の間隔は変化し、以下の条件式（１）を満たすことを特徴とする請求項１から５の何れか１項に記載のズームレンズ。
１．１＜｜ｆ2｜／ｆ3＜１．８        ・・・（１）
但し、
ｆ2は前記第２レンズ群の焦点距離、ｆ3は前記第３レンズ群の焦点距離、
である。
【請求項７】
広角端から望遠端への変倍に際し、
前記第３レンズ群は静止することを特徴とする請求項１から６の何れか１項に記載のズームレンズ。
【請求項８】
前記ズームレンズは、前記第４レンズ群よりも像側に配置され、且つ、広角端から望遠端への変倍に際し静止する正屈折力の最像側レンズ群を有することを特徴とする請求項１から７の何れか１項に記載のズームレンズ。
【請求項９】
前記第４レンズ群は、無限遠物点から近距離物点への合焦の際に移動する合焦レンズ群であることを特徴とする請求項１から８の何れか１項に記載のズームレンズ。
【請求項１０】
前記第４レンズ群と前記第５レンズ群は、無限遠物点から近距離物点への合焦の際に、異なる移動量にて移動することを特徴とする請求項９に記載のズームレンズ。
【請求項１１】
前記第１レンズ群は、物体側から像側に順に、負メニスカスレンズと両凸正レンズとの接合レンズと、物体側に凸面を向けた正メニスカスレンズと、からなり、
以下の条件式（４）を満たすことを特徴とする請求項１から１０の何れか１項に記載のズームレンズ。
７０＜ν1p＜１００      ・・・（４）
但し、
ν1pは、前記第１レンズ群に含まれる正レンズのｄ線におけるアッベ数の平均値である。
【請求項１２】
前記第２レンズ群は、物体側から像側に順に、正レンズと、接合負レンズと、負レンズと、からなり、
前記接合負レンズは、両凹負レンズと正メニスカスレンズとが接合されていることを特徴とする請求項１から１１の何れか１項に記載のズームレンズ。
【請求項１３】
前記第２レンズ群が以下の条件式（５）、（６）を満たすことを特徴とする請求項１２に記載のズームレンズ。
０．９＜（ｒ1＋ｒ2）／（ｒ1−ｒ2）＜２.２      ・・・（５）
１８＜ν2p＜２８                              ・・・（６）
但し、
ｒ1、ｒ2は、それぞれ前記第２レンズ群の最も物体側に配置された前記正レンズの物体側曲率半径と像側曲率半径、
ν2pは、前記第２レンズ群に含まれる正レンズのｄ線におけるアッベ数の平均値、
である。
【請求項１４】
前記第３レンズ群は、物体側から像側に順に、開口絞りと、両凸正レンズと、負メニスカスレンズと両凸正レンズの接合正レンズと、両凸正レンズ、あるいは両凸正レンズと負メニスカスレンズの接合正レンズからなることを特徴とする請求項１から１３の何れか１項に記載のズームレンズ。
【請求項１５】
前記第３レンズ群は、物体側から像側に順に、開口絞りと、第１正レンズ成分と、第２レンズ成分と、第３レンズ成分と、からなることを特徴とする請求項１から１４の何れか１項に記載のズームレンズ。
ここで、レンズ成分とは、正規光路にて空気と接する屈折面が物体側面と像側面の２つのみのレンズを意味し、単レンズ、又は接合レンズを意味する。
【請求項１６】
前記第３レンズ群中の前記第１正レンズ成分は非球面レンズ面を有することを特徴とする請求項１５に記載のズームレンズ。
【請求項１７】
前記第１正レンズ成分と前記第２正レンズ成分は、前記第３レンズ群中の軸上空気間隔の中で最も大きい空気間隔を挟んで配置され、
以下の条件式（７）、（８）、（９）、（１０）の何れかを満たすことを特徴とする請求項１５または１６に記載のズームレンズ。
６５＜ν3p＜１００                  ・・・（７）
０．５＜ｆ3F／ｆ3R＜２．０          ・・・（８）
０．１＜ｄ（Ａ）／ｆ3＜０．５      ・・・（９）
１．４５＜ｎ3p＜１．６５            ・・・（１０）
但し、
ν3pは、前記第３レンズ群中に含まれる正レンズのｄ線におけるアッベ数の平均値、
ｆ3Fは、前記第３レンズ群中に含まれる前記第１正レンズ成分の焦点距離、
ｆ3Rは、前記第２正レンズ成分と前記第３正レンズ成分との合成焦点距離、
ｄ（Ａ）は、前記第１正レンズ成分と前記第２正レンズ成分との間の間隔、
ｆ3は、前記第３レンズ群の焦点距離、  
ｎ3pは、前記第３レンズ群に含まれる正レンズのｄ線における屈折率の平均値、
である。
【請求項１８】
前記第４レンズ群は、正レンズと両凹負レンズとの接合負レンズからなり、
以下の条件式（１１）、（１２）を満たすことを特徴とする請求項１から１７の何れか１項に記載のズームレンズ。
１．８０＜ｎ4p＜２．００        ・・・（１１）
１５＜Δν4＜４０              ・・・（１２）
但し、
ｎ4pは、前記第４レンズ群に含まれる正レンズのｄ線における屈折率、
Δν4は、前記第４レンズ群における正レンズと負レンズのｄ線におけるアッベ数の差、
である。
【請求項１９】
前記第４レンズ群と前記第５レンズ群が以下の条件式（１３）を満足することを特徴とする請求項１０に記載のズームレンズ。
０．２＜｜ΔＧ5(W)／ΔＧ4(W)｜＜３．０      ・・・（１３）
但し、
ΔＧ4(W)は、広角端において無限遠物点から近距離物点へ合焦する時の、前記第４レンズ群の移動量、
ΔＧ5(W)は、広角端において無限遠物点から近距離物点へ合焦する時の、前記第５レンズ群の移動量、
である。
【請求項２０】
請求項１から１９の少なくとも何れか１項に記載のズームレンズと、
カメラ本体に前記ズームレンズを接続可能とするマウント部を有することを特徴とするズームレンズ装置。
【手続補正２】
【補正対象書類名】明細書
【補正対象項目名】００２０
【補正方法】削除
【補正の内容】
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】変更
【補正の内容】
【００２２】
上述の課題を解決するための本発明のズームレンズは、物体側から像側に順に、正屈折力の第１レンズ群と、負屈折力の第２レンズ群と、正屈折力の第３レンズ群と、第４レンズ群と、を有し、広角端に対して望遠端にて、第１レンズ群と第２レンズ群との間の間隔は広がり、第２レンズ群と第３レンズ群との間の間隔は狭まり、広角端から望遠端への変倍に際し、第１レンズ群は静止し、且つ、第３レンズ群と第４レンズ群との間の間隔は変化し、以下の条件式（１）を満たすことを特徴としている。
１．１＜｜ｆ2｜／ｆ3＜１．８        ・・・（１）
但し、
ｆ2は第２レンズ群の焦点距離、ｆ3は第３レンズ群の焦点距離、
である。
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】